【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域内に配置された役物と、
所定の条件に基づいて、前記遊技領域内に打ち込まれた遊技媒体が前記役物内に進入可能なように所定の開閉動作を行いうる可動部材と、
前記役物内の左右方向の略中央に配置され、演出画像が表示される表示手段と、
前記表示手段の左右いずれかの側に配置され、前記役物内に進入した遊技媒体を受け入れ可能な大当り口と、
前記大当り口に前記遊技媒体が受入れられると遊技者に有利な有利遊技状態を発生させる有利遊技状態発生手段と、
前記大当り口との間で前記表示手段を左右方向から挟むように配置され、前記役物内に進入した遊技媒体が受け入れられても前記有利遊技状態が発生しないハズレ口と、
前記大当り口および前記ハズレ口よりも上流側において前記役物内に進入した遊技媒体が左右方向に転動可能な転動面を有し、該転動面から該遊技媒体を、前記大当り口の側または前記ハズレ口の側に放出可能なガイド部材と、
を備え、前記表示手段にて前記演出画像が表示されつつも、前記役物内に進入した遊技媒体の動きに注目させる遊技機であって、
前記役物よりも下方に配置され、前記遊技媒体が進入可能とされた始動口と、
前記始動口に進入した遊技媒体を検出する始動検出手段と、
前記可動部材は、前記始動検出手段による遊技媒体の検出に基づいて、前記遊技領域内に打ち込まれた遊技媒体が前記役物内に進入可能なように所定の開閉動作を行い、
前記役物内に進入した遊技媒体が受け入れられたとしても、前記有利遊技状態が発生しない前記ハズレ口の側に、該遊技媒体が前記ガイド部材により放出された場合に、遊技者を抑揚させる抑揚手段と、
を備え、
前記抑揚手段は、
前記ガイド部材により前記ハズレ口の側である前記他の放出方向に放出された遊技媒体と当接することで、該遊技媒体を所定方向へ押打可能な押打部と、
前記押打部に押打された遊技媒体が前記表示手段の前方且つ該表示手段の正面視近傍を左右方向に横切るかたちで転動しうるように、前記ハズレ口の側から前記大当り口の側に延びる案内面と、
を有し、前記ガイド部材によって前記ハズレ口の側に放出された遊技媒体を、該ハズレ口の側から前記表示手段の正面視近傍を左右方向に横切って前記大当り口の側へと転動させる動きを実現することによって、前記ガイド部材によって前記ハズレ口の側に放出された遊技媒体の動きに注目させるようにした
ことを特徴とする遊技機。
【請求項２】
前記ガイド部材を、前記転動面上の前記遊技媒体が左右方向に揺動するように動作させる駆動手段と、
前記駆動手段により動作する前記ガイド部材の動作状況を検出する動作状況検出手段と、をさらに備え、
前記駆動手段は、前記ガイド部材を、
前記左右方向の端部のうちいずれか一の端部が該一の端部とは異なる他の端部よりも低くなるように前記転動面に傾斜を持たせることによって、前記転動面上の遊技媒体を前記大当り口の側に向かって転動させる第１動作態様と、前記一の端部が前記他の端部よりも高くなるように前記転動面に傾斜を持たせることによって、前記転動面上の遊技媒体を前記ハズレ口の側に向かって転動させる第２動作態様と、の間で揺動させるとともに、
前記第１動作態様において持たせられた前記傾斜によって前記大当り口の側に向かって転動する遊技媒体が前記一の端部から放出される前に、該遊技媒体を逆方向に転動させて前記他の端部から放出させうるように揺動させるものである
ことを特徴とする請求項１に記載の遊技機。
【請求項３】
前記駆動手段は、
前記ガイド部材を、前記第１動作態様と前記第２動作態様との間で繰り返し回動させるものである
ことを特徴とする請求項２に記載の遊技機。
【手続補正２】
【補正対象書類名】明細書
【補正対象項目名】０００８
【補正方法】変更
【補正の内容】
【０００８】
請求項１に記載の遊技機は、遊技媒体が打ち込まれる遊技領域内に配置された役物（役物９１）と、所定の条件に基づいて、前記遊技領域内に打ち込まれた遊技媒体が前記役物内に進入可能なように所定の開閉動作を行いうる可動部材（可動片４５６）と、前記役物内の左右方向の略中央に配置され、演出画像が表示される表示手段（演出表示装置１１５）と、前記表示手段の左右いずれかの側に配置され、前記役物内に進入した遊技媒体を受け入れ可能な大当り口（大当り入賞口９３）と、前記大当り口に前記遊技媒体が受入れられると遊技者に有利な有利遊技状態を発生させる有利遊技状態発生手段と、前記大当り口との間で前記表示手段を左右方向から挟むように配置され、前記役物内に進入した遊技媒体が受け入れられても前記有利遊技状態が発生しないハズレ口（ハズレ入賞口９４）と、前記大当り口および前記ハズレ口よりも上流側において前記役物内に進入した遊技媒体が左右方向に転動可能な転動面（転動面４９０）を有し、該転動面から該遊技媒体を、前記大当り口の側または前記ハズレ口の側に放出可能なガイド部材（ガイド部材４９１）と、を備え、前記表示手段にて前記演出画像が表示されつつも、前記役物内に進入した遊技媒体の動きに注目させる遊技機であって、前記役物よりも下方に配置され、前記遊技媒体が進入可能とされた始動口（第一始動入賞口９６、第二始動入賞口９７）と、前記始動口に進入した遊技媒体を検出する始動検出手段（第一始動口センサ３１８ａ、第二始動口センサ３１８ｂ）と、前記可動部材は、前記始動検出手段による遊技媒体の検出に基づいて、前記遊技領域内に打ち込まれた遊技媒体が前記役物内に進入可能なように所定の開閉動作を行い、前記役物内に進入した遊技媒体が受け入れられたとしても、前記有利遊技状態が発生しない前記ハズレ口の側に、該遊技媒体が前記ガイド部材により放出された場合に、遊技者を抑揚させる抑揚手段と、を備え、前記抑揚手段は、前記ガイド部材により前記ハズレ口の側である前記他の放出方向に放出された遊技媒体と当接することで、該遊技媒体を所定方向へ押打可能な押打部（押打部５３１）と、前記押打部に押打された遊技媒体が前記表示手段の前方且つ該表示手段の正面視近傍を左右方向に横切るかたちで転動しうるように、前記ハズレ口の側から前記大当り口の側に延びる案内面（案内面５７１）と、を有し、前記ガイド部材によって前記ハズレ口の側に放出された遊技媒体を、該ハズレ口の側から前記表示手段の正面視近傍を左右方向に横切って前記大当り口の側へと転動させる動きを実現することによって、前記ガイド部材によって前記ハズレ口の側に放出された遊技媒体の動きに注目させるようにしたものである。
請求項２に記載の遊技機は、請求項１に記載の遊技機において、前記ガイド部材を、前記転動面上の前記遊技媒体が左右方向に揺動するように動作させる駆動手段（回動駆動手段４９３）と、前記駆動手段により動作する前記ガイド部材の動作状況を検出する動作状況検出手段（回動検出部４９９）と、をさらに備え、前記駆動手段は、前記ガイド部材を、前記左右方向の端部のうちいずれか一の端部が該一の端部とは異なる他の端部よりも低くなるように前記転動面に傾斜を持たせることによって、前記転動面上の遊技媒体を前記大当り口の側に向かって転動させる第１動作態様（図３０（ア）、（ウ）、（オ）、（キ））と、前記一の端部が前記他の端部よりも高くなるように前記転動面に傾斜を持たせることによって、前記転動面上の遊技媒体を前記ハズレ口の側に向かって転動させる第２動作態様（図３０（イ）、（エ）、（カ））と、の間で揺動させるとともに、前記第１動作態様において持たせられた前記傾斜によって前記大当り口の側に向かって転動する遊技媒体が前記一の端部から放出される前に、該遊技媒体を逆方向に転動させて前記他の端部から放出させうるように揺動させるものである。
請求項３に記載の遊技機は、請求項２に記載の遊技機において、前記駆動手段は、前記ガイド部材を、前記第１動作態様と前記第２動作態様との間で繰り返し回動させるものである。